(57)【要約】      （修正有）【課題】成型された金属からなるイジェクトレバーにおいて、ピン状の取り出し部材で押される場合でも簡単な構造で変形を防止することができるイジェクトレバーを備えるカードコネクタを提供する。【解決手段】ハウジング２と、ハウジングを覆い、ハウジングと共にカードを収納するための収納部を構成する金属からなる枠１と、収納部の側方に設けられたカードを排出するためのイジェクトレバー７Ａと、を備え、イジェクトレバーは、長尺状の本体部７１と、本体部の長尺方向にほぼ垂直となる平板状の操作部７３と、操作部と本体部とを連結する連結部７２とを備え、イジェクトレバーが押圧操作され操作部に外部からの力を受ける場合に、本体部における操作部に近い側の端部がイジェクトレバーの変形を抑制するための受け部となる。【選択図】図２
0003206447.tif 000002
【実用新案登録請求の範囲】
【請求項１】
ハウジングと、
前記ハウジングを覆い、前記ハウジングと共にカードを収納するための収納部を構成する金属からなる枠と、
前記収納部の側方に設けられ、前記カードを排出するためのイジェクトレバーと、
を備えたカードコネクタにおいて、
該イジェクトレバーは、
長尺状の本体部と、
前記本体部の長尺方向にほぼ垂直となる平板状の操作部と、
前記操作部と前記本体部とを連結する連結部とを備え、
前記イジェクトレバーが押圧操作され前記操作部に外部からの力を受ける場合に、前記本体部における前記操作部に近い側の端部が前記イジェクトレバーの変形を抑制するための受け部となることを特徴とするカードコネクタ。
【請求項２】
前記受け部は前記本体部の長尺方向に延伸されて設けられ、前記操作部と所定の第一の間隔で対向して位置することを特徴とする請求項１に記載のカードコネクタ。
【請求項３】
前記第一の間隔は、前記イジェクトレバーが押圧操作され前記操作部に外部からの力を受ける場合に、前記イジェクトレバーが弾性変形する間隔であることを特徴とする請求項２に記載のカードコネクタ。
【請求項４】
前記イジェクトレバーが押圧操作され前記操作部に外部からの力を受けて変形する場合に、前記イジェクトレバーに塑性変形を生じさせないように、前記受け部と前記操作部とが接することを特徴とする請求項３に記載のカードコネクタ。
【請求項５】
前記受け部が、前記操作部の外部からの力を受ける領域の少なくとも一部と重なる位置に所定の前記第一の間隔で対向して設けられていることを特徴とする請求項１〜４のいずれか一つに記載のカードコネクタ。
【請求項６】
前記操作部における前記収納部側の端縁部と前記枠の外側壁部との第二の間隔が、前記受け部と前記枠の外側壁部との第三の間隔よりも狭いことを特徴とする請求項１〜４のいずれか一つに記載のカードコネクタ。
【請求項７】
前記操作部における前記収納部側の端縁部と前記枠の外側壁部との第二の間隔が、前記受け部と前記枠の外側壁部との第三の間隔よりも狭いことを特徴とする請求項５に記載のカードコネクタ。
【請求項８】
前記イジェクトレバーは金属部材の折り曲げ加工により一体に成型されることを特徴とする請求項１〜４のいずれか一つに記載のカードコネクタ。
【請求項９】
前記収納部にはトレーに載置された状態でカードが収納されることを特徴とする請求項１〜４のいずれか一つに記載のカードコネクタ。
【考案の詳細な説明】
【技術分野】
【０００１】
本考案は、カードコネクタに関し、特にイジェクトレバーを備えるイジェクト機構を有するカードコネクタに関する。
【背景技術】
【０００２】
現在、ＳＩＭカードやメモリカードを接続するためのカードコネクタが多種類ある。そして、カード又はトレーを排出するためのイジェクト機構を有するタイプのカードコネクタがある。このようなカードコネクタは、イジェクト機構を操作することでカードコネクタに入れられたカード又はトレーを排出することができる。
具体的には、上述したカードコネクタにおけるイジェクト機構は、イジェクトレバーとカード挿入方向奥側に設けられる回転板とを含み、回転板に連結されるイジェクトレバーを押圧することにより回転板が支点を中心に回転してカードをイジェクトする。また、通常、このイジェクトレバーは成型された金属からなり、カード挿入方向の右側面又は左側面に設けられている。
【０００３】
特許文献１の図１には、金属のレバー本体に、指で押圧する部分がインサート成型により設けられた樹脂で補強されているＩＣカード用等のカードコネクタが開示されている。
【０００４】
近時、カード及びカードコネクタの小型軽量化、及び製造コストを抑えるために、樹脂で補強していない成型されて屈曲した金属からなる構造のイジェクトレバーが主流になっている（例えば、特許文献２の図３参照）。これは、主に先の尖ったピン状の取り出し部材で押してカードを取り出す「ピンイジェクトタイプ」のカードコネクタに用いられている。
【先行技術文献】
【特許文献】
【０００５】
【特許文献１】実用新案登録３０１５３４０号公報
【特許文献２】特開２０１４−１７５３１２号公報
【考案の概要】
【考案が解決しようとする課題】
【０００６】
しかし、特許文献２に記載のような構造の場合、ピン状の取り出し部材の先端で押圧される位置でとなるイジェクトレバーの「前面」（操作部）に力が集中し、イジェクトレバーが曲がって変形する場合がある。図１０（Ａ）、（Ｂ）に示すようにイジェクトレバーが変形すると、カードの取り出しが困難になり、カードを取り出すことができない場合もある。また、イジェクトレバーの変形によりカードコネクタの操作性が悪くなり、ユーザに違和感を与えることになる。
【０００７】
上記の課題を解決するために、本考案は、成型された金属からなるイジェクトレバーにおいて、ピン状の取り出し部材で強い力で押圧される場合でも簡単な構造でイジェクトレバーの変形を効果的に抑制することができるイジェクトレバーを備えるカードコネクタを提供することを目的としている。
【課題を解決するための手段】
【０００８】
本考案のカードコネクタは、ハウジングと、前記ハウジングを覆い、前記ハウジングと共にカードを収納するための収納部を構成する金属からなる枠と、前記収納部の側方に設けられた前記カードを排出するためのイジェクトレバーと、を備え、当該カードコネクタにおいて、該イジェクトレバーは、長尺状の本体部と、前記本体部の長尺方向にほぼ垂直となる平板状の操作部と、前記操作部と前記本体部とを連結する連結部とを備え、前記イジェクトレバーが押圧操作され前記操作部に外部からの力を受ける場合に、前記本体部における前記操作部に近い側の端部が前記イジェクトレバーの変形を抑制するための受け部となることを特徴としている。
【０００９】
本考案のカードコネクタによれば、イジェクトレバーの本体部と操作部との間で、連結部により連結されている以外、操作部が外部からの押圧力を受ける際に、本体部が操作部を支持することができる。このため、イジェクトレバーの強度を向上でき、イジェクトレバーの操作部の変形を抑制でき、さらにイジェクトレバーの操作性を確保できるようになる。
【００１０】
本考案のカードコネクタにおいて、前記受け部は前記本体部の長尺方向に延伸されて設けられ、前記操作部と所定の第一の間隔で対向して位置することが好ましい。
本考案のカードコネクタによれば、操作部が外部からの押圧力を受ける際に、本体部が長尺方向において弾性変形して、当該受け部が操作部に接することができ、操作部を支持することができる。これによって、イジェクトレバーの強度を向上でき、イジェクトレバーの操作部の塑性変形を抑制でき、さらにカードコネクタの操作性を確保できるようになる。
【００１１】
本考案のカードコネクタにおいて、前記第一の間隔は、前記イジェクトレバーが押圧操作され前記操作部に外部からの力を受ける場合に、前記イジェクトレバーが弾性変形する間隔であることが好ましい。
本考案のカードコネクタによれば、受け部と操作部とが対向して配置する所定の第一の間隔が、操作部に外部からの力が加えられた場合、イジェクトレバー（特に連結部）が弾性変形し、かつ、イジェクトレバーが弾性変形してもカードを有効的に排出することができる。これによって、カードコネクタの操作性を確保することができる。
【００１２】
本考案のカードコネクタにおいて、前記イジェクトレバーが押圧操作され前記操作部に外部からの力を受けて変形する場合に、前記イジェクトレバーに塑性変形を生じさせないように、前記受け部と前記操作部とが接することが好ましい。
【００１３】
本考案のカードコネクタによれば、操作部に外部からの力が加えられた場合、操作部が塑性変形を生じる前に、受け部は、操作部と接して操作部を支持する。これによって、イジェクトレバーの強度を向上させて操作部の変形を抑制でき、さらにイジェクトレバーの操作性を確保できるようになる。
【００１４】
本考案のカードコネクタにおいて、前記受け部が、前記操作部の外部からの力を受ける領域の少なくとも一部と重なる位置に所定の前記第一の間隔で対向して設けられていることが好ましい。
【００１５】
本考案のカードコネクタによれば、イジェクトレバーは、本体部の長尺方向における延長線が操作部における外部からの力が加えられた領域を通過し、または当該領域に重なるようにした。これによって、操作部における外部からの力が加えられた領域と本体部とがずれた場合と比べて、外部から操作部に押圧力を加える場合、押圧力が本体部に直接かつ有効的に伝達することができる。よって、取り出し部材を操作する難しさを低下することができ、カードコネクタの操作性および信頼性を向上することができるようになる。
【００１６】
本考案のカードコネクタにおいて、前記操作部における前記収納部側の端縁部と前記枠の外側壁部との第二の間隔が、前記受け部と前記枠の外側壁部との第三の間隔よりも狭いことが好ましい。
【００１７】
本考案のカードコネクタによれば、本体部は、操作部における連結部に連結する側の反対側の端縁部よりも、操作部と連結部とが連結されている箇所に近いようにした。これによって、本体部が操作部を確実に支持できる。また、操作部における連結部と連結されない側の端部が長いため、イジェクトレバーとカードコネクタの枠の外側壁部との間の操作部における隙間が小さくなり、イジェクトピンなどの取り出し部材でイジェクトして押圧力が与えられた場合、押圧力の方向がイジェクトレバーの長手方向に対し傾斜しても、イジェクトピンなどの取り出し部材はイジェクトレバーとカードコネクタの枠の外側壁部との間の隙間に入りにくい。このため、取り出し部材の操作の難しさが低下し、カードコネクタの操作性及び信頼性が向上できる。
【００１８】
本考案のカードコネクタにおいて、前記イジェクトレバーは金属部材の折り曲げ加工により一体に成型されることが好ましい。
本考案のカードコネクタによれば、インサート成型にて樹脂の補強部材を設置する場合と比べて、インサート成型の工程が必要でなくなり、製造コスト削減しながら、強度アップできるようになる。
【００１９】
本考案のカードコネクタにおいて、前記収納部にはトレーに載置された状態でカードが収納されることが好ましい。
これによれば、本考案は、カードをハウジングに直接的に収納する構成に限定せず、カードをトレーに載置する状態で収納部に収納する構成に適用することができる。
【考案の効果】
【００２０】
成型された金属からなるイジェクトレバーにおいて、ピン状の取り出し部材で強い力で押圧される場合でも簡単な構造でイジェクトレバーの変形を効果的に抑制することができる。
【図面の簡単な説明】
【００２１】
【図１】本考案のカードコネクタの外観斜視図である。
【図２】カードコネクタの分解斜視図である。
【図３】（Ａ）〜（Ｅ）は、本考案のカードコネクタに備えられた第１実施形態によるイジェクトレバーを示す図であり、（Ａ）は斜視図であり、（Ｂ）は（Ａ）の一部の拡大斜視図であり、（Ｃ）は上面図であり、（Ｄ）は底面図であり、（Ｅ）は左視図である。
【図４】カードコネクタにおけるイジェクトレバーの応力ひずみ線図である。
【図５】（Ａ）及び（Ｂ）は、本考案のイジェクトレバーの構成を示す具体的な説明図であり、（Ｂ）は（Ａ）の５Ｂ部分の拡大図である。
【図６】（Ａ）及び（Ｂ）は、本考案のイジェクトレバーの凹部と受け部との位置関係を示す模示図であり、（Ａ）及び（Ｂ）は異なる二つ実施例を示す。
【図７】（Ａ）〜（Ｅ）は、本考案のカードコネクタに備えられた第２実施形態によるイジェクトレバーを示す図であり、（Ａ）は斜視図であり、（Ｂ）は（Ａ）の一部の拡大斜視図であり、（Ｃ）は上面図であり、（Ｄ）は底面図であり、（Ｅ）は左視図である。
【図８】（Ａ）〜（Ｅ）は、本考案のカードコネクタに備えられた第３実施形態によるイジェクトレバーを示す図であり、（Ａ）は斜視図であり、（Ｂ）は（Ａ）の一部の拡大斜視図であり、（Ｃ）は上面図であり、（Ｄ）は底面図であり、（Ｅ）は左視図である。
【図９】（Ａ）〜（Ｅ）は、本考案のカードコネクタに備えられた第４実施形態によるイジェクトレバーを示す図であり、（Ａ）は斜視図であり、（Ｂ）は（Ａ）の一部の拡大斜視図であり、（Ｃ）は上面図であり、（Ｄ）は底面図であり、（Ｅ）は左視図である。
【図１０】（Ａ）はイジェクトレバーを備えた既存のカードコネクタを示す図、（Ｂ）は（Ａ）の１０Ｂ部分の拡大図であって、イジェクトレバーが力Ｆを受けて変形した状態を示す図である。
【考案を実施するための形態】
【００２２】
以下、本考案の実施の形態について、図面を参照しながら説明する。なお、同じ構成要素には同じ参照符号を付して、説明を省略する場合もある。また、図面の一部では、開示内容を理解しやすくするために、必要に応じて特定の構成要素を模式的に示したり、簡素化したり、省略したりしている。
以下での説明において、Ｘ方向は平面視でトレーの挿入方向に直交する方向を示し、Ｙ方向はトレーの挿入方向を示し、−Ｙ方向はトレーの排出方向を示し、Ｘ方向及びＹ方向に直交するＺ方向はカードコネクタの厚さ方向を示す。
【００２３】
（第１実施形態）
図１は本実施形態におけるカードコネクタ１０００の外観斜視図である。図２はカードコネクタ１０００の分解斜視図である。
図１及び図２に示したように、カードコネクタ１０００は、枠１、ハウジング２、トレー３、コンタクト部材４及びトレーのイジェクト機構５を備えている。
枠１は、金属からなり、下方側と前方側が開放されるほぼ箱状に形成され、ハウジング２を覆い、ハウジング２と共にトレー３を収納するための収納部を構成する。図２に示したように、枠１は、上壁部１１、左側壁部１２、右側壁部１３、奥側壁部１４及び外側壁部１５を有し、上壁部１１がハウジング２の上方を覆い、左側壁部１２及び右側壁部１３はハウジング２のＸ方向の両側を覆い、奥側壁部１４はハウジング２のＹ方向奥側を覆う。
【００２４】
ハウジング２は、合成樹脂からなり、トレー３の底部及び側部を収納可能な形状に形成されている。
トレー３は、金属や合成樹脂等で構成され、フレーム部３１と押圧部３２を有する。
フレーム部３１の内周側によりカードを放置するための空間が形成され、図２におけるトレー３は、図示しない第一のカード（例えばＮａｎｏＳＩＭカード）を載置するための第１設置空間３３ａ及び図示しない第二のカード（例えばＭｉｃｒｏＳＤカード）を設置するための第２設置空間３３ｂを含んでいる。
【００２５】
押圧部３２は、ユーザがトレーを押圧する際の操作部として機能し、この押圧部３２の外面３２ａは電子製品の外面の一部分とする場合もある。この押圧部３２を貫通する孔３２ｂが右端部に形成され、この孔３２ｂはイジェクトピン８（図１及び図２には図示しない）などの取り出し部材を通過させるサイズに形成されている。
【００２６】
金属板をプレス加工してなる複数のコンタクト部材４は、インサート成形によりハウジング２と一体に成形されている。コンタクト部材４は、ハウジング２の底壁２１から延出されており、その前端がカードの金属パッド（図示せず）に接触可能な接点になる。
【００２７】
図２において、第１接点４ａと第２接点４ｂとの２種類の接点が示されている。そのうち、図中の左側にある６つの第１接点４ａは第一のカードの金属パッドに接触可能で、図中の右側にある８つの第２接点４ｂは第二のカードの金属パッドに接触可能である。
【００２８】
イジェクト機構５は回転板６とイジェクトレバー７Ａを含む。回転板６はＹ方向上において収納部に位置するトレー３の奥側と枠１の奥側壁部１４との間に設けられている。イジェクトレバー７Ａはトレー３を排出するために設けられている。また、イジェクトレバー７Ａは、収納部の右側方に設けられ、回転板６の端部に連結されている。図２に示すように、イジェクトレバー７ＡがＹ方向に移動される場合に、回転板６を回転させることができる。
【００２９】
トレー３が挿入されている状態で、ユーザがイジェクトピン８（図１及び図２には図示しない）などの取り出し部材でイジェクトレバー７Ａの後述する操作部７３を押圧する場合に、操作部７３は受けた押圧力を回転板６に伝達し、回転板６がイジェクトレバー７Ａからの力を受けて第１アーム部６ｂを回転させる。回転板６が回転しながら、トレー３は−Ｙ方向に向けて第２アーム部６ｃの前端によりイジェクトされる。これによって、トレー３を収納部から排出したり収納部に挿入したりすることができる。
【００３０】
以下、本考案のカードコネクタ１０００に備えられた第１実施形態によるイジェクトレバー７Ａについて、図３（Ａ）ないし図３（Ｅ）を参照しながら説明する。図３（Ａ）〜図３（Ｅ）は、本考案のカードコネクタ１０００に備えられた第１実施形態によるイジェクトレバー７Ａを示す図であり、図３（Ａ）は斜視図であり、図３（Ｂ）は図３（Ａ）の一部の拡大斜視図であり、図３（Ｃ）は上面図であり、図３（Ｄ）は底面図であり、図３（Ｅ）は左視図である。
【００３１】
本考案の考案者らは、特許文献２に記載のようなイジェクトレバーを備えるイジェクト機構を有するカードコネクタを深く検討した結果、一般に、イジェクトレバーの操作部に対しイジェクトピンなどの取り出し部材で所定の押圧力を与える場合、イジェクトレバーが変形することがなく、与えられた押圧力を回転板に伝達してトレーの排出を行うことができる。
【００３２】
しかし、より強い押圧力を与える場合、図１０（Ａ）、（Ｂ）に示したように、イジェクトレバーが変形することが判明した。このイジェクトレバーの変形は塑性変形である。一般的な塑性変形・弾性変形の関係については、図４のグラフに示すような特性で説明できる。ここで、図４の縦軸は応力Ｓを示し、横軸はひずみｅを示す。すなわち、図４の０〜ａの範囲であれば、イジェクトレバーが弾性変形する。また、ａ〜ｂの範囲では、弾性変形と塑性変形との間の臨界状態である。そして、ｂ〜ｃの範囲は、イジェクトレバーが塑性変形する。このように、受け部により、０〜ａの弾性変形の範囲であれば、イジェクトレバーの変形（塑性変形）を防ぐことができる。
【００３３】
以下に、上記イジェクトレバーの変形（塑性変形）を防ぐことができる本考案のイジェクトレバー構成を詳述する。図３（Ａ）〜図３（Ｅ）に示すように、第１実施形態によるイジェクトレバー７Ａが金属部材の折り曲げ加工により一体に成型され、長尺状の本体部７１と、外部からの力が加えられる表面が本体部７１の長尺方向にほぼ垂直となる平板状の操作部７３と、操作部７３と本体部７１とを連結する連結部７２とを備える。
【００３４】
また、操作部７３における押圧力を受ける側には、例えばイジェクトピンなどの取り出し部材を載置するための凹部７ｈが形成されている。当該凹部７ｈが操作部７３における外部からの力が加えられる領域となる。
また、イジェクトレバー７Ａでは、本体部７１における操作部７３に近い側の端部（以下では、受け部ともいう）７１ａがーＹ方向に沿って操作部７３に向かって延伸されて設けられている。
【００３５】
また、受け部７１ａは、操作部と所定の第一の間隔Ｋ１で対向して位置する。より詳細には、当該受け部７１ａは、本体部７１の長尺方向における操作部７３に近い側の表面が、所定の第一の間隔Ｋ１で操作部７３における力が加えられる表面の反対面（即ち、内面）に対向して位置する。
【００３６】
また、当該所定の第一の間隔Ｋ１は、イジェクトレバー７Ａの材質、厚みなどによって適切に設定される。ただし、当該所定の第一の間隔Ｋ１はイジェクトレバー７Ａが押圧操作を受けてトレー３を排出可能な大きさに設定されていることを保つ必要がある。トレー３を排出可能な第一の間隔Ｋ１とは、イジェクトレバー７Ａが押圧操作され操作部７３に外部からの力を受ける場合に、イジェクトレバー７Ａが弾性変形する間隔である。その場合、第一の間隔Ｋ１は、本体部７１が操作部７３に接しない状態でイジェクトレバー７Ａが押圧操作を受けてトレー３を排出可能な大きさである。
【００３７】
あるいは、トレー３の排出を排出可能な第一の間隔Ｋ１とは、イジェクトレバー７Ａが押圧操作を受ける場合、受け部７１ａが操作部７３に接する間隔である。その場合、第一の間隔Ｋ１とはイジェクトレバー７Ａが塑性変形を生じないように受け部７１ａが操作部７３に接する間隔である。
【００３８】
また、連結部７２は、所定幅にて本体部７１と一体になった箇所から略Ｚ方向に沿って所定距離延出され、延出方向が変更されてＸ方向に沿って所定距離延出され、再度延出方向が変更されてＺ方向の逆方向に沿って所定距離延出され、所定幅にてＹ方向の逆方向に沿って本体部７１に略平行して対向する形でかつＹ方向の逆方向へ伸びるにつれて幅が大きい形で本体部７１の端部７１ａの先端と面一になる位置まで少なくとも延出してさらに操作部７３が形成されている。
【００３９】
操作部７３は図３（Ａ）に示すような形状となるように形成されている。具体的には、操作部７３は、連結部７２と連結している箇所から、所定幅にてＸ方向の逆方向に沿って延出され、かつ、Ｘ方向の逆方向において本体部７１の受け部７１ａの位置を越える位置まで延出されて端縁部７３ａが形成される。つまり、端縁部７３ａは、Ｙ方向において受け部７１ａと対向して配置され、且つＸ方向において本体部７１のＸ方向の逆方向における外縁を超える。換言すれば、端縁部７３ａの左側面が受け部７１ａよりも突出されている。
【００４０】
つまり、図５（Ａ）及び５（Ｂ）に示すように、操作部７３における収納部側の端縁部７３ａと枠１の外側壁部１５との第二の間隔Ｋ２が、受け部７１ａと枠１の外側壁部１５との第三の間隔Ｋ３よりも狭い。要するに、基準面（外側壁部１５）から端縁部７３ａまでの距離は、基準面（外側壁部１５）から受け部７１ａまでの距離よりも小さい。
【００４１】
よって、イジェクトレバー７Ａとカードコネクタ１０００の枠１の外側壁部１５との間の操作部７３における隙間が小さくなり、イジェクトピンなどの取り出し部材でイジェクトして押圧力が与えられた場合、押圧力の方向がイジェクトレバーの長手方向に対し傾斜しても、イジェクトピンなどの取り出し部材はイジェクトレバー７Ａとカードコネクタ１０００の枠１の外側壁部１５との間の隙間に入りにくい。このため、取り出し部材の操作が容易になり、カードコネクタの操作性及び信頼性が向上できる。
【００４２】
また、本実施形態では、図６（Ａ）（または図６（Ｂ））に示すように、操作部７３における外部からの力を加えられる表面には、イジェクトピン８が押圧する位置である凹部７ｈが操作部７３の当該表面の略中央に位置する。また、受け部７１ａが、操作部７３の外部からの力を受ける領域の少なくとも一部と重なる位置に所定の第一の間隔Ｋ１で対向して設けられている。図６（Ａ）には、凹部７ｈと受け部７１ａとが完全に重なっている状態を示す。図６（Ｂ）には、凹部７ｈと受け部７１ａとが少なくとも一部重なっている状態を示す。つまり、イジェクトレバー７Ａは、本体部７１が操作部７３における外部からの力を加えられる表面に投影される場合、本体部７１による投影領域と操作部７３における外部からの力を加えられる領域とが少なくとも一部重なるように構成されている。これによって、操作部７３における外部からの力が加えられた領域と本体部７１とがずれた場合と比べて、外部から操作部７３に押圧力を加える場合、押圧力が本体部７１に直接かつ有効的に伝達することができる。よって、取り出し部材の操作が容易になり、カードコネクタの操作性および信頼性を向上することができるようになる。
【００４３】
また、第１実施形態では、イジェクトレバー７Ａの本体部７１と操作部７３との間で、連結部７２により連結されている。そして、連結部７２は、本体部７１と連結されている箇所である箇所ＡＡと、屈曲部ＢＢと、操作部７３と連結されている箇所である箇所ＣＣとを含む。箇所ＣＣについて、変形可能な方向は略Ｙ方向にあり、箇所ＡＡ及び屈曲部ＢＢについて、変形可能な方向は略Ｘ方向やＺ方向にある。このため、ユーザがＹ方向における押圧力を与えた場合、箇所ＡＡ及び屈曲部ＢＢは、それらの変形可能な方向と押圧力の方向とが略垂直になることにより、その強度が高く変形しにくい。一方、箇所ＣＣについては、ユーザがＹ方向における押圧力を与えた場合、それらの変形可能な方向と押圧力の方向とが略一致するため、強度が低く変形しやすい。しかし、本体部７１の端部７１ａが受け部として操作部７３に接してＹ方向の押圧力に抗することで、箇所ＣＣにおける変形を防止できる。このため、第１実施形態のイジェクトレバー７Ａは、特許文献２のようなイジェクトレバーと比べて、全体としてその強度が大きく高まり変形にくくなる。そして、カードコネクタの操作性及び信頼性を確保できる。
【００４４】
（第２実施形態）
以下では、第２実施形態によるカードコネクタについて説明する。
第２実施形態によるカードコネクタは、第１実施形態によるカードコネクタ１０００と比べて、イジェクトレバーの構造が異なる。よって、ここでは、第２実施形態によるカードコネクタに備えられたイジェクトレバー７Ｂのみを図示して説明し、第２実施形態によるカードコネクタおける他の部材の説明を省略する。それ以降の実施形態についても、同様にイジェクトレバーのみを図示して説明する。
【００４５】
図７（Ａ）〜図７（Ｅ）は、本考案の第２実施形態によるカードコネクタに備えられたイジェクトレバー７Ｂを示す図であり、図７（Ａ）は斜視図であり、図７（Ｂ）は図７（Ａ）の一部の拡大斜視図であり、図７（Ｃ）は上面図であり、図７（Ｄ）は底面図であり、図７（Ｅ）は左視図である。
【００４６】
図７（Ａ）〜図７（Ｅ）に示すように、第２実施形態におけるイジェクトレバー７Ｂは、第１実施形態におけるイジェクトレバー７Ａと比べて、連結部の形成には金属部材を折り曲げる方向が逆方向になる点のみで相違する。このため、ここでは、第２実施形態におけるイジェクトレバー７Ｂの具体的な構成に関する説明を省略する。
また、第２実施形態におけるイジェクトレバー７Ｂも第１実施形態におけるイジェクトレバー７Ａの効果と同じ効果を奏する。
【００４７】
（第３実施形態）
以下、第３実施形態によるカードコネクタについて説明する。
図８（Ａ）〜図８（Ｅ）は、本考案のカードコネクタに備えられた第３実施形態によるイジェクトレバー７Ｃを示す図であり、図８（Ａ）は斜視図であり、図８（Ｂ）は図８（Ａ）の一部の拡大斜視図であり、図８（Ｃ）は上面図であり、図８（Ｄ）は底面図であり、図８（Ｅ）は左視図である。
【００４８】
図８（Ａ）〜図８（Ｅ）に示すように、第３実施形態におけるイジェクトレバー７Ｃは、第１実施形態におけるイジェクトレバー７Ａ及び第２実施形態におけるイジェクトレバー７Ｂと比べて、連結部７２の構成及び操作部の外郭形状が異なる。このため、ここでは、第３実施形態におけるイジェクトレバー７Ｃの具体的な構成に関する説明を省略し、第３実施形態におけるイジェクトレバー７Ｃの連結部７２の構成のみを説明する。
【００４９】
第３実施形態におけるイジェクトレバー７Ｃの連結部７２は、所定幅にて本体部７１と一体になった箇所から略Ｚ方向に沿って所定距離延出され、延出方向が変更されてＸ方向に沿って所定距離延出され、再度延出方向が変更されて所定幅にてＹ方向の逆方向に沿って所定距離延出され、再度延出方向が変更されてＺ方向の逆方向へ延出してさらに操作部７３が形成されている。
また、第３実施形態におけるイジェクトレバー７Ｃも第１実施形態におけるイジェクトレバー７Ａの効果と同じ効果を奏する。
【００５０】
（第４実施形態）
図９（Ａ）〜図９（Ｅ）は、本考案のカードコネクタに備えられた第４実施形態によるイジェクトレバー７Ｄを示す図であり、図９（Ａ）は斜視図であり、図９（Ｂ）は図９（Ａ）の一部の拡大斜視図であり、図９（Ｃ）は上面図であり、図９（Ｄ）は底面図であり、図９（Ｅ）は左視図である。
【００５１】
第４実施形態におけるイジェクトレバー７Ｄは、第３実施形態におけるイジェクトレバー７Ｃと比べて、連結部の形成には金属部材を折り曲がる方向が逆方向になる点のみで相違する。このため、ここでは、第４実施形態におけるイジェクトレバー７Ｄの具体的な構成に関する説明を省略する。
また、第４実施形態におけるイジェクトレバー７Ｄも第１実施形態におけるイジェクトレバー７Ａの効果と同じ効果を奏する。
【００５２】
（変形例）
上記のように、トレー式のカードコネクタを例として、本考案のカードコネクタの好ましい実施形態を説明したが、これらの実施形態は例として提示したものであり、考案の範囲を限定することは意図していない。本考案は、その他の様々な形態で実施されることが可能であり、考案の要旨を逸脱しない範囲で、種々の省略、置き換え、変更を行うことができる。これら実施形態やその変形は、考案の範囲や要旨に含まれると同様に、実用新案登録請求の範囲に記載された考案とその均等の範囲に含まれるものである。
【００５３】
例えば、本考案の思想は、トレーが使用されていないカードコネクタにも応用できる。即ち、枠とハウジングとで囲まれた空間に直接カードが挿入されるための収納部が形成されたカードコネクタであっても良い。また、カードのタイプもＮａｎｏＳＩＭカード又はＭｉｃｒｏＳＤカードに限らず、他のタイプのカードであっても良い。
【００５４】
また、上記の実施形態において、イジェクトレバーは金属部材の折り曲げ加工して形成されたものであるが、イジェクトレバーとして有するべき強度、弾性などの性質を有するものであれば、他の材料であっても良い。
【００５５】
また、上記の実施形態において、本体部７１の受け部７１ａと操作部７３とが所定の第一の間隔Ｋ１で対向して配置する状況を例として説明したが、本体部７１の受け部７１ａが操作部７３の内面に接しても操作部７３の内面と一体に形成しても良い。
【００５６】
また、上記の実施形態において、本体部７１からは端部７１ａが受け部として延出して操作部７３の内面と対向して配置する状況を例として説明したが、操作部７３から端部が受け部として延出して本体部７１の表面と対向して配置されても良い。
【００５７】
また、上記の実施形態において、操作部７３の端縁部７３ａは平面状及び階段状という二つの状況が示されているが、操作部７３の端縁部７３ａの形状は、他の形状であっても良い。
【００５８】
また、上記の実施形態において、各図面に示す本体部７１、連結部７２、操作部７３、本体部７１の受け部７１ａ、操作部７３の端縁部７３ａなどの構成要素は、設計規格に応じて長さ、幅、数量、形状などが適当変更しても良い。
【００５９】
また、上記の実施形態において、操作部７３の端縁部７３ａよりも、本体部７１のほうがカードコネクタの端子部から離れた構成としているが、当該構成は必須ではなく、需要に応じて適宜配置しても良い。
【符号の説明】
【００６０】
１０００      カードコネクタ
１      枠
１１      上壁部
１２      左側壁部
１３      右側壁部
１４      奥側壁部
１４ａ      支持部
１５      外側壁部
２      ハウジング
３      トレー
３１      フレーム部
３２      押圧部
３２ａ      外面
３２ｂ      孔
３３ａ      第１設置空間
３３ｂ      第２設置空間
４      接触部材
４ａ      第１接点
４ｂ      第２接点
５      イジェクト機構
６      回転板
７Ａ、７Ｂ、７Ｃ、７Ｄ      イジェクトレバー
７ｈ      凹部
７１      本体部
７１ａ      端部（受け部）
７２      連結部
７３      操作部
７３ａ      端縁部
８      イジェクトピン
【図１】
0003206447.tif 000003
【図２】
0003206447.tif 000004
【図３】
0003206447.tif 000005
【図４】
0003206447.tif 000006
【図５】
0003206447.tif 000007
【図６】
0003206447.tif 000008
【図７】
0003206447.tif 000009
【図８】
0003206447.tif 000010
【図９】
0003206447.tif 000011
【図１０】
0003206447.tif 000012